(57)【要約】【課題】複数の洗浄ノズルを設けて高い洗浄性能と被洗浄物収容性を備えた食器洗い機を実現する。【解決手段】洗浄槽２の下方に第１および第２の回転洗浄ノズル３、４を配設すると共に洗浄槽２の側面に固定洗浄ノズル５を配設し、固定ノズル５から前方に延設した第３の回転洗浄ノズル７を配設する。各洗浄ノズルには洗浄ポンプ１１から分水手段１５を通じて順次洗浄水を供給して被洗浄物１０の洗浄がなされる。固定洗浄ノズル５の水平部位右側５ｂから噴射される洗浄水は上段食器かご９右側部に収容された被洗浄物１０に向け洗浄水が噴射され、第３の回転洗浄ノズル７から噴射される洗浄水は上段食器かご９左側部に収容された被洗浄物１０を洗浄する。上記のように効果的に固定洗浄ノズルと回転洗浄ノズルを組み合わせることで、高い洗浄性能と被洗浄物収容性を実現することができる。【選択図】図１
2006288924.tif 000002
【特許請求の範囲】
【請求項１】
洗浄槽と、前記洗浄槽に設けられ、被洗浄物を収容する食器かごと、前記洗浄槽内に設けられ、被洗浄物に洗浄水を噴射する複数の噴射部と、前記複数の噴射部に洗浄水を供給するポンプ装置と、前記複数の噴射部に洗浄水を切り替えて供給する分水手段とを備え、前記食器かごは上下２段の食器かごとし、前記複数の噴射部のうち前記上下２段の食器かごの上段の食器かごへ向けて洗浄水を噴射する噴射部は、前記洗浄槽の側壁に設けた少なくとも１つの固定ノズルと少なくとも１つの回転ノズルとを有する食器洗い機。
【請求項２】
回転ノズルは上下２段の食器かごの下段の食器かご上で碗類等を設置する箇所の上方へ配置した請求項１に記載の食器洗い機。
【請求項３】
回転ノズルは、洗浄槽側面に設けた導水路から洗浄槽中央に向けて延設した請求項１または２のいずれか１項に記載の食器洗い機。
【請求項４】
回転ノズルは、洗浄槽内で後方から前方に向かって延設した請求項３に記載の食器洗い機。
【請求項５】
回転ノズルは、側壁に配設された導水路に対し着脱可能かつ洗浄水が連通可能に接続された請求項１〜４のいずれか１項に記載の食器洗い機。
【請求項６】
洗浄槽の底部にも２つの回転ノズルを有する請求項１〜５いずれか１項に記載の食器洗い機。
【発明の詳細な説明】
【技術分野】
【０００１】
本発明は洗浄槽内に収容した食器に洗浄水を噴射して食器を洗浄する食器洗い機に関するものである。
【背景技術】
【０００２】
従来、一般家庭用の食器洗い機は洗浄槽内に設置した食器かごに並べられた食器などの被洗浄物に洗浄水を噴射して洗浄するものが用いられてきた。このとき、食器かごに並べられた多数の被洗浄物に満遍なく洗浄水が噴射されるように、洗浄水を噴射する噴射部の配置が重要な要素となる。
【０００３】
特に、底面が矩形の洗浄槽を有する食器洗い機等で、洗浄槽内に多数の被洗浄物が収容できるように食器かごを複数段に設けた場合には、各段の被洗浄物に対して洗浄水が均等に噴射される必要があるが、上段に配置された食器かごに収容された被洗浄物には下方から噴射した洗浄水は下段に並べられた被洗浄物が障害となって充分に洗浄水が行き渡らず、上段に収容された被洗浄物に対する洗浄能力が低下することになる。特に、下段に碗類等を並べた場合、その形状により、下方からの噴射のほとんどが遮断され、上段に収容された被洗浄物の洗浄が行えないという問題があった。
【０００４】
これらの問題を解決するために、洗浄槽内の多方向から被洗浄物に洗浄水を噴射できるように複数の噴射部を配置した食器洗い機が知られている。しかし、複数の噴射部から洗浄水を噴射できるようにするためには、洗浄槽に溜める給水量を増加させる必要があり、洗浄水を加熱するための加熱時間が長くなり、運転時間や消費電力が増加し、使用水量が増加するために洗浄ポンプを大型化する必要が生じるためコストアップにつながり、多量の洗浄水を使用することに伴う騒音、振動の増加などの問題が生じる。
【０００５】
また、むやみに噴射部の数を増やすと、製品が大型化し、一般家庭用の食器洗い機は、例えばキッチンのワークトップと吊り戸棚との間等、設置スペースが限られるため、製品の設置性を損なうという問題も生じる。
【０００６】
そこで、複数の噴射部を設けて洗浄能力を向上させても給水量が増加せず、上記のような問題が発生しないように構成された食器洗い機が開発されている（例えば、特許文献１参照）。
【０００７】
この種の食器洗い機では、図６に示すように、底面が矩形の洗浄槽１０２を有し、複数の噴射部は、洗浄槽１０２の下方に回転洗浄ノズル１０３、１０４、洗浄槽１０２の側壁に固定洗浄ノズル１０５が配設されている。これらの各噴射部１０３〜１０５には洗浄ポンプ１１１で加圧された洗浄水が分水装置１１５から順次切り替えて送給される。このように洗浄水は各噴射部１０３〜１０５に順次切り替えて送給されるので、給水量を増加させることがなく、洗浄水は多数の被洗浄物１１０に噴射される。
【特許文献１】特開２００４−２６７６６１号公報
【発明の開示】
【発明が解決しようとする課題】
【０００８】
しかしながら、このような従来の食器洗い機においては、上段かごの形状を設定する際に、下段かご上で碗類等を設置する箇所の上方は、皿類等を設置する箇所に比べ、低く設定されることが多く、洗浄槽側面に設けた固定ノズルから上段かごの洗浄を行うには充分な噴射角度がとれず、充分な洗浄性能が得られないという問題点があった。また、固定洗浄ノズル５は一定範囲のみしか洗浄水を当てることができないため、様々な食器の形状、設置姿勢に対して洗浄水を満遍なく当てることができず、充分な洗浄性能が得られないという問題点があった。
【０００９】
本発明は、上記従来の課題を解決するもので、回転ノズルと固定ノズルとを効果的に組み合わせて上段のかごを洗浄することで、高い洗浄性能を得るとともに、被洗浄物の収容性を確保し、洗浄性能と被洗浄物の収容性を両立させた食器洗い機を提供することを目的としている。また、一般家庭用の食器洗い機は設置スペースが限られるため製品の大きさに制約があるため、製品高さを変えることなく上記課題を解決することを目的とする。
【課題を解決するための手段】
【００１０】
上記目的を達成するために本発明は、洗浄槽と、前記洗浄槽に設けられ、被洗浄物を収容する食器かごと、前記洗浄槽内に設けられ、被洗浄物に洗浄水を噴射する複数の噴射部と、前記複数の噴射部に洗浄水を供給するポンプ装置と、前記複数の噴射部に洗浄水を切り替えて供給する分水手段とを備え、前記食器かごは上下２段の食器かごとし、前記複数の噴射部のうち前記上下２段の食器かごの上段の食器かごへ向けて洗浄水を噴射する噴射部は、前記洗浄槽の側壁に設けた少なくとも１つの固定ノズルと少なくとも１つの回転ノズルとを有する食器洗い機である。
【００１１】
これにより、上下２段かごの上段かごにおいて、洗浄槽の側壁に設けた固定ノズルでは充分な噴射角度が得られない箇所や、様々な形状の被洗浄物が設置できる箇所については、回転ノズルにより洗浄を行い、側壁に設けた固定ノズルから噴射角度が充分得られる箇所やある程度設置する被洗浄物の形状が定まっている箇所については固定ノズルにより洗浄を行うことで、洗浄性能と被洗浄物の収容性を両立させることができる。
【発明の効果】
【００１２】
本発明の食器洗い機は、回転洗浄ノズルと固定洗浄ノズルとを適正に組み合わせることで、洗浄性能と被洗浄物の収容性を両立することができる。
【発明を実施するための最良の形態】
【００１３】
第１の発明は、洗浄槽と、前記洗浄槽に設けられ、被洗浄物を収容する食器かごと、前記洗浄槽内に設けられ、被洗浄物に洗浄水を噴射する複数の噴射部と、前記複数の噴射部に洗浄水を供給するポンプ装置と、前記複数の噴射部に洗浄水を切り替えて供給する分水手段とを備え、前記食器かごは上下２段の食器かごとし、前記複数の噴射部のうち前記上下２段の食器かごの上段の食器かごへ向けて洗浄水を噴射する噴射部は、前記洗浄槽の側壁に設けた少なくとも１つの固定ノズルと少なくとも１つの回転ノズルとを有することにより、上下２段かごの上段のかごにおいて、洗浄槽側壁に設けた固定ノズルでは充分な噴射角度が得られない箇所や、様々な形状の被洗浄物が設置できる箇所については、回転ノズルにより洗浄を行い、側壁に設けた固定ノズルから噴射角度が充分得られる箇所やある程度設置する被洗浄物の形状が定まっている箇所については固定ノズルにより洗浄を行うことで、洗浄性能と被洗浄物の収容性を両立させることができる。
【００１４】
第２の発明は、上記第１の発明において、回転ノズルは上下２段の食器かごの下段の食器かご上で主に碗類等を設置する箇所の上方へ配置したことにより、下段の食器かごに碗類のように下方から噴射された洗浄水を遮断する被洗浄物を設置した場合においても、上段かごに収容した被洗浄物に充分な洗浄水を供給することができる。また、碗類等はその形状から設置高さが低く、上方に回転ノズルを配設しても被洗浄物の収容性を損なうことがない。
【００１５】
第３の発明は、上記第１または２の発明において、回転ノズルは、側壁に配設される導水路から洗浄槽中央に向けて延設したことにより、回転ノズルを中央付近に配置することができるので、被洗浄物の設置場所によらず満遍なく洗浄水を噴射することができる。
【００１６】
第４の発明は、上記第１〜３の発明において、回転ノズルは、洗浄槽内で後方から前方に向かって延設したことにより、前後方向への導水路を持つことにより、被洗浄物の設置時や食器かごを前後に摺動させる時に邪魔になることがなく使い勝手を向上することができる。
【００１７】
第５の発明は、上記第１〜４の発明において、回転ノズルは、側壁に配設した導水路に対し着脱可能かつ洗浄水が連通可能に接続されたことにより、大きな被洗浄物設置時や回転ノズルが邪魔になる場合において、回転ノズルの取り外しが可能となり、大きな被洗浄物の設置性を向上することができる。また、取り外して清掃可能なため、清掃性も高めることができる。
【００１８】
第６の発明は、上記第１〜５の発明において、洗浄槽の底部にも２つの回転ノズルを有することにより、上下２段かごの下段のかごに設置される被洗浄物に対し、充分な洗浄水を供給することができる。
【００１９】
以下、本発明の実施の形態について、図面を参照しながら説明する。なお、従来例と同じ構成のものは同一符号を付して説明を省略する。また、この実施の形態によって本発明が限定されるものではない。
【００２０】
（実施の形態１）
図１および図２は本発明の実施の形態１における底面が矩形形状である食器洗い機本体１の洗浄槽２内に被洗浄物１０を収容した状態を正面側および側面側から見た状態で示すもので、洗浄槽２内には、被洗浄物１０を収容する下段食器かご８および上段食器かご９がそれぞれ前後方向に引き出しできるように配設されている。下段食器かご８は左側部を碗類等を設置するスペースとし、右側部を皿類等を設置するスペースとしている。上段食器かご９は左側部を右側部に比べ一段低い位置に配設することで、左側部は空間高さが高いので、皿やコップなどの様々な食器が置けるスペースとしており、一方、上段食器かご９右側部については空間高さがないため、背の低いコップや湯飲みといった円筒形状の食器を置くスペースとしている。
【００２１】
また、洗浄槽２の下方には第１の回転洗浄ノズル３および第２の回転洗浄ノズル４が配設され、洗浄槽２の背面には上段食器かご９の右側部を洗浄するための固定洗浄ノズル５が配設されている。また、導水路ユニット２１は固定洗浄ノズル５と共に構成され、右側経路に固定洗浄ノズル５、左側経路は上段かごの左側の洗浄のための第３の回転洗浄ノズル７の導水路として構成される。第３の回転洗浄ノズル７の導水路の構成として、導水路ユニット２１の水平部位左側６ａにその前方へ延設した回転ノズル導水路６ｂが接続され、さらに、その回転ノズル導水路６ｂの先端部であって上段食器かご９左側部下方の位置に第３の回転洗浄ノズル７が配設される。
【００２２】
洗浄槽２内に収容された被洗浄物１０に対して前記第１の回転洗浄ノズル３、第２の回転洗浄ノズル４、固定洗浄ノズル５および第３の回転洗浄ノズル７から洗浄水を噴射することにより、被洗浄物１０が洗浄される。
【００２３】
洗浄槽２の底部には、洗浄ポンプ１１の吸い込み側に連通した排水口１２が設けられ、排水口１２には残菜を収集する残菜フィルタ１３と、洗浄水を加熱するヒータ１４とが配設されている。残菜フィルタ１３を透過した洗浄水は洗浄ポンプ１１に吸い込まれて加圧され、分水手段１５によって第１、第２および第３の各回転洗浄ノズル３、４、７、固定洗浄ノズル５から洗浄水が噴射される。
【００２４】
上記構成になる食器洗い機１は、扉１６を開いて被洗浄物１０を収容した下段食器かご８および上段食器かご９が洗浄槽２内に収容され、洗剤が投入されて扉１６により洗浄槽２の前面開口が閉じられると運転を開始して、洗浄工程、すすぎ工程、乾燥工程の順に実行する。
【００２５】
まず、給水弁が動作して所定量の洗浄水が洗浄槽２内に給水される。給水された洗浄水はヒータ１４によって加熱され、洗浄ポンプ１１によって加圧されて分水手段１５から第１、第２および第３の各回転洗浄ノズル３、４、７、固定洗浄ノズル５に選択的に洗浄水が送給される。ここでは、分水手段１５は第１の回転洗浄ノズル３、第２の回転洗浄ノズル４、固定洗浄ノズル５、第３の回転洗浄ノズル７の順に所定時間毎に洗浄水の送給を切り替えるように動作する。第１、第２および第３の回転洗浄ノズル３、４、７は送給された洗浄水が噴射口から噴出する噴流によって回転し、回転移動する洗浄水を噴射して下段食器かご８および上段食器かご９に収容された被洗浄物１０を洗浄する。また、固定洗浄ノズル５は上段食器かご９の下に水平方向に配列された噴射口から洗浄水を主に上段食器かご９の右側部に噴射して下向きに収容された被洗浄物１０の内面を洗浄すると共に、上部に開口する洗浄水噴射口２０ａから略水平方向に扇状に噴射される洗浄水により被洗浄物１０の外面を洗浄する。
【００２６】
上記のように下段食器かご８上の被洗浄物１０の配置を左側部に碗類等、右側部に皿類等としたとき、上段食器かご９への被洗浄物１０の収容性を考慮すると、碗類等は皿類等に比べ設置高さが比較的低いため、上段食器かご９の左側部は右側部に比べ一段低い位置に設定される。上段食器かご９に収容される被洗浄物１０の洗浄を洗浄槽２背面に設けられた固定ノズルのみを用いて行った場合を考えると、上段食器かご９の左側部は低い位置に設定されているため、洗浄槽２の背面に設けた固定ノズルから被洗浄物の洗浄を行うには充分な噴射角度が得られない。また、下方に並べられた碗類等が障害となって下方からの洗浄水の供給は望めない。さらに、左側部は空間高さが高いので様々な形状の被洗浄物１０が置けるスペースとしており、固定ノズルは一定範囲の決まった角度のみしか洗浄水を噴射することができないため、被洗浄物の様々な形状や設置姿勢に対し、対応できない。
【００２７】
従って、上段食器かご９に収容される被洗浄物１０の洗浄性能を確保するために、上段食器かご９左側部下方に第３の回転ノズル７を設ける必要がある。
【００２８】
一方、食器洗い機本体１の設置性を確保するために、食器洗い機本体１の高さを固定とした場合、上段食器かご９右側部については、下方に比較的設置高さの高い皿類等が設置されるため回転ノズルを配設するスペースが取れないが、上段食器かご９の被洗浄物１０が高い位置に収容されるため、洗浄槽２背面に設けた固定ノズル５から充分な噴射角度を得ることができ、また、皿類の形状から下方からの洗浄水の供給を得ることができる。さらに、背の低いコップや湯飲みといった円筒状の食器を設置するスペースとしており、ある程度設置姿勢や食器形状が定まるため、固定ノズル５を用いても洗浄性能を確保することができる。
【００２９】
また、第３の回転洗浄ノズル７を追加することによる被洗浄物１０の設置性については、回転洗浄ノズル導水路６を後方から前方へ洗浄槽２中央に向けて延設することにより、前後方向への導水路を持つことにより、被洗浄物１０設置時に邪魔になることがなく、被洗浄物１０の設置性を確保している。
【００３０】
洗浄槽２内に第１、第２および第３の各回転洗浄ノズル３、４、７および固定洗浄ノズル５から噴射された洗浄水は被洗浄物１０を洗浄して洗浄槽２の下部に流下し、排水口１２に集められて再びヒータ１４によって加熱され、残菜フィルタ１３を透過して再び洗浄ポンプ１１から分水手段１５を経て第１、第２および第３の各回転洗浄ノズル３、４、７、固定洗浄ノズル５に送給される。洗浄水が噴射されて被洗浄物１０から脱落した残菜は残菜フィルタ１３に捕集される。また洗浄水の温度は温度センサ１７によって検出されており、所定温度を超えるとヒータ１４への通電が停止されるので、洗浄に適した温度が維持される。
【００３１】
所定時間の洗浄工程が終了すると、汚れを含む洗浄水は排水ポンプ１８から機外に排出され、洗浄槽２内に新たに洗浄水が給水される。給水された洗浄水は洗浄ポンプ１１の運転により第１、第２および第３の各回転洗浄ノズル３、４、７および固定洗浄ノズル５から噴射され、被洗浄物１０に付着した洗剤や残菜等洗い流すすすぎ工程が実行される。このすすぎ工程は、所定時間の運転の後、すすぎによって洗剤や残菜を洗い出した洗浄水は排水ポンプ１８から機外に排出され、洗浄槽２内には新たな洗浄水が給水され、再びすすぎ動作を行う工程を３回実行し、洗浄水を機外に排出してすすぎ工程を終了する。
【００３２】
続いて乾燥工程が実行され、図示しない送風機から洗浄槽２内に送給される外気がヒータ１４によって加熱され、送風と加温との両方の効果によって被洗浄物１０に付着した水滴の蒸発が促進される。この乾燥工程が所定時間実施された後、運転が停止されて食器洗浄のすべての工程が終了する。
【００３３】
上記各工程における洗浄槽２内への洗浄水の給水制御、洗浄ポンプ１１および排水ポンプ１８の駆動制御、温度センサ１７による温度検出に基づくヒータ１４への通電制御、乾燥工程における送風機の駆動制御などは、食器洗い機本体１内に設けられた図示しない制御装置によって実施される。
【００３４】
図３は、洗浄槽２内から下段食器かご８および上段食器かご９を外部に取り出した状態を正面側から見た状態を示すもので、固定洗浄ノズル５および第３の回転洗浄ノズル７の形態をわかりやすく示している。洗浄槽２背面に配設する導水路ユニット２１は扁平筒状に形成され、固定洗浄ノズル５のための垂直部位５ａ、水平部位右側５ｂおよび第３の回転洗浄ノズル７のための水平部位左側６ａによって略十字状に形成される。また、図中破線の位置において仕切りが設けられ、経路が２つに分けられている。導水路ユニット２１の下端は左側の経路、右側の経路がそれぞれ別々に分水手段１５に接続されている。ここで、左側経路については、噴射口がなく、第３の回転洗浄ノズル７の導水路として構成する。水平部位右側５ｂおよび水平部位左側６ａは、上段食器かご９が左右で高さが異なる段差を設けた形状に形成されていることに対応して、左右で高さ位置が異なる。
【００３５】
また、水平部位左側６ａには前方へ延設した回転洗浄ノズル導水路６ｂが接続され、さらに、その回転洗浄ノズル導水路６ｂの先端部であって、上段食器かご９左側部下方中央付近に第３の回転洗浄ノズル７が配設される。また、回転洗浄ノズル導水路６ｂは水平部位左側６ａと着脱可能に接続されており、下段食器かご８左側に高さの高い食器などを収容する場合には回転洗浄ノズル導水路６ｂおよび第３の回転洗浄ノズル７を取り外すことにより、下段食器かご８への大きい被洗浄物１０の設置性を高めることができる。図４に導水路ユニット２１の水平部位左側６ａと回転洗浄ノズル導水路６ｂとの接続構成を詳しく示している。回転ノズル導水路６ｂは略中空円筒状をなしており、その一端部外周には、９０度毎に爪部６０ｂが４ヶ所設けられ、一方、導水路ユニット２１の水平部位左側６ａの接続部には爪部６０ｂに対応した溝部６０ａが４ヶ所配設される。爪部６０ｂと溝部６０ａとを前方から穴位置を合わせて挿入したのち、右方向に約１５度回転させ、突起６０ｄが突起６０ｃを乗り越えることにより係止させ、回転洗浄ノズル導水路６と固定洗浄ノズル５を水密に接続する。
【００３６】
固定ノズル５の水平部位右側５ｂには、上段食器かご９に収容された被洗浄物１０に洗浄水を噴射する洗浄水噴射口２０ｂが複数に開口し、上段食器かご９に収容された被洗浄物１０の内面に向けて上方に洗浄水を噴射する。また、垂直部位５ａの上方には洗浄水噴射口２０ａが開口し、略水平方向の扇状に洗浄水を噴射する。尚、水平部位５ｂに設けられた複数の洗浄水噴射口２０ｂそれぞれは、必ずしも上向きに洗浄水を噴射するのではなく、例えば、箸やスプーン等の収容場所に近い洗浄水噴出口は横向きに洗浄水を噴射して汚れを落とし難い箸やスプーンなどに重点的に洗浄水を噴射するようにしてもよい。また、導水路ユニット２１の水平部位右側５ｂと水平部位左側６ａは、上段食器かご９が段差のないものである場合には、左右で高さ位置が異なる形状に形成する必要はない。
【００３７】
第３の回転洗浄ノズル７の上面には上段食器かご９左側部に収容された被洗浄物に下方から洗浄水を噴射する洗浄水噴射口が複数に開口し、上段食器かご９左側部に収容された被洗浄物１０に真下から洗浄水を噴射することができ、様々な食器の形状や設置姿勢に対しても、ムラなく洗浄することができる。
【００３８】
固定ノズル５は扁平な筒状に形成することによって、洗浄槽２の背面から突出して被洗浄物の収容スペースを削減してしまうことがない。また、垂直部位５ａ上部に設けられた洗浄水噴射口２０ａは、略水平方向の扇状に洗浄水を噴射するので、洗浄槽２内に収容された被洗浄物の上方から洗浄水を当てることができ、洗浄水噴射の主体となっている下方から噴射される洗浄水で洗浄され難い被洗浄物１０の上面部分を洗浄することができる。特に糸底のある被洗浄物１０、例えば、図１に示す湯飲み１０ａのように糸底のある食器は、糸底内に細かい残菜が残りやすくなるが、これに上方から洗浄水が噴射されることにより、細かい残菜が洗い出され、全ての面に洗浄水が行き渡る効果が得られる。また、回転ノズル導水路６は円筒形状とすることで、上面への水滴の付着をなくし、乾燥性能を向上させている。
【００３９】
複数の噴射部に選択的に洗浄水を送給する分水手段１５は本実施形態の構成のように４ヶ所の噴射部に選択的に洗浄水を送給する場合には、図５に示すような簡単な構造に分水手段１５を構成することができる。
【００４０】
図５は、分水手段１５の構成例を模式的に示すもので、中心部に洗浄ポンプ１１から洗浄水が供給される円筒状の分水弁４０の周面上には１ヵ所の送水開口部４１が開口し、紙面上方を０度として時計回りの４５度方向に固定洗浄ノズルに配管された送水配管４２、１３５度方向に第２の回転洗浄ノズル４に配管された送水配管４３、２２５度方向に第１の回転洗浄ノズル３に配管された送水配管４４、３１５度方向に第３の回転洗浄ノズル７に配管された送水配管４５がそれぞれ分水弁４０の周面に対向して配置されている。
【００４１】
分水弁４０を図示しない駆動手段により回転角度９０度毎に回動させ、図５（ａ）に示す角度位置に回動させると、送水開口部４１が送水配管４４の方向に開口するので、洗浄ポンプ１１から分水弁４０内に供給された洗浄水は第１の回転洗浄ノズル３に送給される。また、図５（ｂ）に示す角度位置に回動させると、送水開口部４１が送水配管４３の方向に開口するので、洗浄ポンプ１１から分水弁４０内に供給された洗浄水は第２の回転洗浄ノズル４に送給される。また、図５（ｃ）に示す角度位置に回動させると、送水開口部４１が送水配管４２方向に開口するので、固定洗浄ノズル５に洗浄水が送給される。また、図５（ｄ）に示す角度位置に分水弁４０を回動させると、送水開口部４１が送水配管４５の方向に開口するので、第３の回転洗浄ノズル７に洗浄水が送給される。
【００４２】
分水手段１５を上記構成例のように構成することにより、前述した第１の回転洗浄ノズル３にのみ洗浄水が送給される状態、第２の回転洗浄ノズル４にのみ洗浄水が送給される状態、固定洗浄ノズル５にのみ洗浄水が送給される状態、第３の回転洗浄ノズルにのみ洗浄水が送給される状態、に順次切り替えることができる。
【００４３】
このように複数の噴射部に選択的に洗浄水を送給するようにすることにより、複数の噴射部の全てに同時に洗浄水を送給した場合に洗浄槽２内に溜める給水量が多くなり、使用水量の増加および温度上昇時間の増加に伴う消費電力量の増加、大型化などの問題を解消することができる。
【産業上の利用可能性】
【００４４】
以上のように、本発明にかかる食器洗い機は回転洗浄ノズルと固定洗浄ノズルを効果的に組み合わせることにより、高い洗浄性能と被洗浄物収容性を得ることが可能となるので、洗浄水を噴射して被洗浄物の洗浄を行う食器洗い機等として有用である。
【図面の簡単な説明】
【００４５】
【図１】本発明の実施の形態１の食器洗い機の構成を示す正面図
【図２】同食器洗い機の構成を示す側面図
【図３】同食器洗い機に設けられた複数の洗浄ノズルの配置を示す正面図
【図４】同食器洗い機の固定洗浄ノズルと回転洗浄ノズル導水路との接続構成を示す斜視図
【図５】同食器洗い機の分水手段の構成例をその動作順に示す模式図
【図６】従来技術に係る食器洗い機の構成を示す正面図
【符号の説明】
【００４６】
１  食器洗い機本体
２  洗浄槽
３  第１の回転洗浄ノズル（噴射部）
４  第２の回転洗浄ノズル（噴射部）
５  固定洗浄ノズル（固定ノズル）
５ａ  垂直部位
５ｂ  水平部位右側
６ａ  水平部位左側（導水路）
６ｂ  回転洗浄ノズル導水路（導水路）
７  第３の回転洗浄ノズル（回転ノズル）
８  下段食器かご（食器かご）
９  上段食器かご（食器かご）
１０  被洗浄物
１１  洗浄ポンプ（ポンプ装置）
１５  分水手段
【図１】
2006288924.tif 000003
【図２】
2006288924.tif 000004
【図３】
2006288924.tif 000005
【図４】
2006288924.tif 000006
【図５】
2006288924.tif 000007
【図６】
2006288924.tif 000008